(57)【要約】  本発明の一実施例による化粧品容器は、内容物が収容される陥没部が設けられる本体部と、上記陥没部をカバーするカバー部と、上記本体部の内部に収納されるアプリケーターと、を含み、上記アプリケーターは棒状であり、上記本体部は上記アプリケーターの形状に対応するように左右の幅が長く前後の幅が短い形状を有することを特徴とする。
2020526315.tif 000002
【特許請求の範囲】
【請求項１】
内容物が収容される陥没部が設けられる本体部と、
前記陥没部をカバーするカバー部と、
前記本体部に収納されるアプリケーターと、を含み、
前記アプリケーターは棒状であり、
前記本体部は前記アプリケーターの形状に対応するように左右の幅が長く前後の幅が短い形状を有することを特徴とする化粧品容器。
【請求項２】
前記カバー部及び前記陥没部は、
前記アプリケーターの長さ方向と並んだ左右の幅が長い形状を有することを特徴とする請求項１に記載の化粧品容器。
【請求項３】
前記アプリケーターは、
内容物を肌に伝達する塗布体と、
一端に前記塗布体が設けられ、長さが調整される柄と、を含むことを特徴とする請求項１に記載の化粧品容器。
【請求項４】
前記柄は、
前記塗布体が設けられる第１グリップ部材と、
前記第１グリップ部材に結合または分離される第２グリップ部材と、を含むことを特徴とする請求項３に記載の化粧品容器。
【請求項５】
前記柄は、
前記塗布体が設けられる第１グリップ部材と、
前記第１グリップ部材上においてスライドされる第２グリップ部材と、を含むことを特徴とする請求項３に記載の化粧品容器。
【請求項６】
前記アプリケーターは、
前記カバー部に着脱可能に設けられることを特徴とする請求項１に記載の化粧品容器。
【請求項７】
前記アプリケーターは、
前記カバー部と磁性で結合されることを特徴とする請求項６に記載の化粧品容器。
【請求項８】
前記カバー部上に前記アプリケーターが保管され、
前記カバー部は、
前記アプリケーターが装着される装着面上に前記アプリケーターを拘束する拘束部材を含むことを特徴とする請求項６に記載の化粧品容器。
【請求項９】
前記拘束部材は、
前記装着面から上部に突出し、端部が互いに離隔されて前記アプリケーターが嵌め合わされるか、離脱されるリブを含むことを特徴とする請求項８に記載の化粧品容器。
【請求項１０】
前記カバー部は、
前記アプリケーターが装着され、平面をなす装着面と、
前記陥没部を密閉するために、前記装着面の反対側から前記陥没部の方向に延長される下部突起と、
前記装着面の縁から上部に延長される上部突起と、を含むことを特徴とする請求項１に記載の化粧品容器。
【請求項１１】
前記カバー部をカバーする蓋部をさらに含み、
前記蓋部は前記上部突起が内側に設けられるように、前記本体部を閉鎖するときに前記本体部と当接するように形成されることを特徴とする請求項１０に記載の化粧品容器。
【請求項１２】
前記上部突起は、
前記蓋部の内側に当接するように形成されて前記カバー部と前記蓋部の間の空間を密閉させることを特徴とする請求項１１に記載の化粧品容器。
【請求項１３】
前記カバー部をカバーする蓋部をさらに含み、
前記蓋部は下端から上部にドーム構造をなすことを特徴とする請求項１に記載の化粧品容器。
【請求項１４】
前記アプリケーターは、
内容物を肌に伝達する塗布体が連結され、前記塗布体から反対方向に長さが延長される柄を含み、
前記柄の長さは５ｃｍ〜２０ｃｍからなることを特徴とする請求項１に記載の化粧品容器。
【請求項１５】
前記カバー部または前記蓋部の背面には反射面が設けられることを特徴とする請求項１１に記載の化粧品容器。
【請求項１６】
前記アプリケーターは、
内容物を肌に伝達する塗布体と、
前記塗布体が連結され、前記塗布体から反対方向に長さが延長される柄と、を含み、
前記塗布体は前記柄に形状を変えて複数個設けられることを特徴とする請求項１に記載の化粧品容器。
【発明の詳細な説明】
【技術分野】
【０００１】
本発明は化粧品容器に関し、より詳細には、長さが比較的長い棒状のアプリケーターを化粧品と一緒に保管することができる化粧品容器に関する。
【背景技術】
【０００２】
一般的に広く利用されているファンデーション（ｆｏｕｎｄａｔｉｏｎ）などの固形化粧品は、肌を保護するとともに華やかにし、皺を改善するなどの効果のために使用される。このとき、使用者はパフ（ｐｕｆｆ）やブラシなどのアプリケーターに化粧品をつけてから肌に塗る方式を用いることができる。
【０００３】
パフの場合、化粧品容器内に収納された状態で販売されることがあり、一般的にパフなどは化粧品容器の蓋の内部に収容されていてもよい。従って、使用者は化粧品を使用するために、蓋を開けてパフを取り出し、パフに備えられた弾性紐などを指に挟んだ状態でパフを化粧品に接触させることで、パフに所定量だけの化粧品を付けることができる。
【０００４】
一方、ブラシは複数の毛からなるブラシを含んで成り、このとき、毛は動物の毛または合成樹脂などで人工的に作った繊維であってもよい。このようなブラシは柄が形成され、使用者は柄を握ったまま、毛の部分に化粧品を均一に付けてから毛を肌に接触させて化粧品を伝達する。
【０００５】
このようなパフとブラシは互いに材質と形状が異なり、特に、コンパクトタイプの化粧品容器は円形であって、平面図上において左右及び前後の長さが同一／類似するように形成されるのが一般的であるため、内部空間の制限によってコンパクトタイプの化粧品容器には化粧品と一緒にパフが内蔵されるのが現状である。
【０００６】
一方、高粘度ファンデーションなどのようにパフで叩いて化粧をするのに比べて、ブラシを利用して滑らせて塗るのが化粧の表現が容易であり得る。例えば、化粧品の粘度などによって、パフを利用すると、化粧にムラが生じることがあるため、化粧品を滑らせて塗り広げることが効果的であり得る。しかし、一般的なコンパクトタイプの化粧品容器が有する形状により、長さの長い棒状のブラシは化粧品容器に収納できず、使用者が別途携帯しなければならないため、煩わしさと不便があるだけでなく、紛失の恐れもある。
【発明の概要】
【発明が解決しようとする課題】
【０００７】
本発明は、上記のような従来技術の問題点を解決するために創出されたものであり、本発明の目的は、高粘度ファンデーションのように滑らせて塗る化粧方法を利用することができる棒状のアプリケーターが化粧品と一緒に内蔵され、アプリケーターを容易に利用することができ、従来の形状と差別化できる化粧品容器を提供することで、使用者の選択を広げることができる化粧品容器を提供することである。
【課題を解決するための手段】
【０００８】
本発明の一実施例による化粧品容器は、内容物が収容される陥没部が設けられる本体部と、上記陥没部をカバーするカバー部と、上記本体部に収納されるアプリケーターと、を含み、上記アプリケーターは棒状であり、上記本体部は上記アプリケーターの形状に対応するように左右の幅が長く前後の幅が短い形状を有することを特徴とする。
【０００９】
具体的に、上記カバー部及び上記陥没部は、上記アプリケーターの長さ方向と並んだ左右の幅が長い形状を有することができる。
【００１０】
具体的に、上記アプリケーターは、内容物を肌に伝達する塗布体と、一端に上記塗布体が設けられ、長さが調整される柄と、を含んでもよい。
【００１１】
具体的に、上記柄は、上記塗布体が設けられる第１グリップ部材と、上記第１グリップ部材に結合または分離される第２グリップ部材と、を含んでもよい。
【００１２】
具体的に、上記柄は、上記塗布体が設けられる第１グリップ部材と、上記第１グリップ部材上においてスライドされる第２グリップ部材と、を含んでもよい。
【００１３】
具体的に、上記アプリケーターは上記カバー部に着脱可能に設けられてもよい。
【００１４】
具体的に、上記アプリケーターは上記カバー部と磁性で結合されてもよい。
【００１５】
具体的に、上記カバー部上に上記アプリケーターが保管され、上記カバー部は上記アプリケーターが装着される装着面上に上記アプリケーターを拘束する拘束部材を含んでもよい。
【００１６】
具体的に、上記拘束部材は、上記装着面から上部に突出し、端部が互いに離隔されて上記アプリケーターが嵌め合いされるか、離脱されるリブを含んでもよい。
【００１７】
具体的に、上記カバー部は、上記アプリケーターが装着され、平面をなす装着面と、上記陥没部を密閉するために、上記装着面の反対側から上記陥没部の方向に延長される下部突起と、上記装着面の縁から上部に延長される上部突起と、を含んでもよい。
【００１８】
具体的に、上記カバー部をカバーする蓋部をさらに含み、上記蓋部は上記上部突起が内側に設けられるように、上記本体部を閉鎖するときに上記本体部と当接するように形成されてもよい。
【００１９】
具体的に、上記上部突起は、上記蓋部の内側に当接するように形成されて上記カバー部と上記蓋部の間の空間を密閉させることができる。
【００２０】
具体的に、上記カバー部をカバーする蓋部をさらに含み、上記蓋部は下端から上部にドーム構造をなしてもよい。
【００２１】
具体的に、上記アプリケーターは内容物を肌に伝達する塗布体が連結され、上記塗布体から反対方向に長さが延長される柄を含み、上記柄の長さは５ｃｍ〜２０ｃｍからなってもよい。
【００２２】
具体的に、上記カバー部または上記蓋部の背面には反射面が設けられてもよい。
【００２３】
具体的に、上記アプリケーターは、内容物を肌に伝達する塗布体と、上記塗布体が連結され、上記塗布体から反対方向に長さが延長される柄と、を含み、上記塗布体は上記柄に形状を変えて複数個設けられてもよい。
【発明の効果】
【００２４】
本発明による化粧品容器は、使用者が容易に把持できる長さの棒状のアプリケーターを化粧品と一緒に化粧品容器内に保管して使用することができるため、棒状のアプリケーターを別途保管／携帯しなければならない煩わしさがなく、アプリケーターの紛失を防止することができる。
【図面の簡単な説明】
【００２５】
【図１】本発明の第１実施例による化粧品容器の正面を示したものである。
【図２】本発明の第２実施例による化粧品容器を示した斜視図である。
【図３】本発明の第２実施例による化粧品容器の正面を示したものである。
【図４】本発明の第２実施例による化粧品容器が開放された状態を示した斜視図である。
【図５】本発明の第２実施例による化粧品容器のアプリケーターが分離された状態を示したものである。
【図６】本発明の第１実施例による化粧品容器の他の様態を示したものである。
【図７】本発明の第１実施例による化粧品容器のアプリケーターを示したものである。
【発明を実施するための形態】
【００２６】
本発明の目的、特定の利点及び新規な特徴は、添付の図面と関連する以下の詳細な説明と好ましい実施例により更に明らかになるだろう。本明細書では、各図面の構成要素に参照番号を付加するにおいて、同じ構成要素に限ってはたとえ他の図面上に表示されていても可能な限り同じ番号を付したことに留意すべきである。また、本発明を説明するにおいて、関連する公知技術に対する具体的な説明が本発明の要旨を不要に不明確にすると判断される場合には、その詳細な説明は省略する。
【００２７】
以下、添付の図面を参照して本発明の好ましい実施例を詳細に説明する。
【００２８】
図１は本発明の第１実施例による化粧品容器の正面を示したものであり、図２〜図４は本発明の第２実施例による化粧品容器を示したものであり、図５は本発明の第２実施例による化粧品容器のアプリケーターを示したものであり、図６は本発明の第１実施例による化粧品容器の他の様態を示したものであり、図７は本発明の第１実施例による化粧品容器のアプリケーターを示したものである。
【００２９】
また、本実施例は、便宜上、第１実施例及び第２実施例に区分したが、拘束部材の形状、アプリケーターの構造などは異なって形成され得るなど、様々な変形例を有することができ、これらが互いに組み合わさって形成されてもよいため、その組み合わせによって実施例は増加することができ、同じ機能をする同じ構成は同じ符号を使用し、後述する実施例において重複する説明は互いに組み合わせるか、省略する。
【００３０】
図１〜図７を参照すると、本発明の実施例による化粧品容器１００は、本体部１１０、アプリケーター１２０、カバー部１３０、蓋部１４０を含み、一般的なコンパクトタイプの化粧品容器を改善したものであり、平面図上において左右及び前後の幅が同一／類似する従来の化粧品容器に比べて左右の幅が拡張され、棒状のアプリケーター１２０を保管することができる。
【００３１】
具体的に、本体部１１０には内容物が収容される陥没部１１１が設けられる。
【００３２】
ここで、内容物はファンデーション、日焼け止めなどの使用者の顔の全肌をカバーする顔全体用化粧品であってもよいが、これに限定されず、本体部１１０に貯蔵される化粧品は、固形パウダーのように圧縮された粉または粘性の高い液相の物質など様々な形態からなってもよく、アプリケーター１２０に付けて使用者の顔面に移され得る。
【００３３】
但し、内容物は、本実施例のアプリケーター１２０により使用者の肌に容易に伝達できる、即ち、棒状のアプリケーター１２０を利用して化粧品を滑らせる形で化粧をする場合に効率的に化粧をすることができるクッション、ウォータースパン、サンファンデーションなどからなることが望ましい。
【００３４】
当該内容物が収容される陥没部１１１は、上部から下部に凹んで形成される溝構造からなってもよく、陥没部１１１の上部が開口されてカバー部１３０によって開閉されてもよい。また、陥没部１１１は前後または左右の空間が区画されてもよく、区画された空間のそれぞれに貯蔵された内容物は色、粘度、機能が互いに異なってもよい。
【００３５】
ここで、陥没部１１１は、カバー部１３０の開放時に内容物が外部に直接露出されるように形成されてもよいが、これとは異なって、陥没部１１１上に吐出板（不図示）が設けられて使用者の操作により少量ずつ内容物が排出される構造からなってもよく、このとき、吐出板はパレットとして利用され得るなど、内容物が貯蔵される構造は多様であってもよく、公知の技術に代えて省略する。
【００３６】
また、本体部１１０は、アプリケーター１２０の長さ方向と並んだ左右の幅が長い形状であってもよく、水平の断面が楕円形、長方形であり得る。当該本体部１１０は、従来の化粧品容器が平面図上において前後の幅と左右の幅が同一／類似して実質的に円形を成すのとは違う形態からなってもよい。
【００３７】
このように、本体部１１０が左右の幅が長い形状を有し、アプリケーター１２０を利用して陥没部１１１内の内容物を左右方向に滑らせて取ることができるため、内容物をとること（ＰＩＣＫＩＮＧ）が容易であり得る。これは、従来の化粧品容器が左右及び前後の幅が実質的に同じで、ブラシを左右方向に滑らせるには狭い形状であるため、ブラシを時計／反時計回りに回す形で利用しなければならず、この場合、内容物が付くブラシの下面は回す動作によってムラが生じる恐れがあるからである。
【００３８】
アプリケーター１２０は内容物を使用者の肌に伝達する化粧道具、例えば、ブラシからなる塗布体１２１と柄１２２からなるブラシであってもよい。
【００３９】
特に、本実施例のアプリケーター１２０は棒状であり、アプリケーター１２０の側面の一部が使用者の親指と人差し指の間に掛けられることにより、アプリケーター１２０の塗布体１２１に隣接する部分を握りながらアプリケーター１２０の柄１２２の側面を同時に支持することができ、安定的な使用が可能である。
【００４０】
即ち、局所部位、例えば、目の周りを化粧する場合にはブラシの全体形状が小さくても小さい領域に化粧をするため、チークなどの化粧品を軽く滑らせることができる。しかし、全肌に化粧をするファンデーション、日焼け止めなどは上記チークと同じ道具を使用すると、相対的に時間が長くかかり、効果的に化粧ができない。
【００４１】
これにより、本実施例のアプリケーター１２０は柄１２２が５ｃｍ〜２０ｃｍの長さ、好ましくは７ｃｍ〜９ｃｍで構成され、使用者の手でアプリケーター１２０が支持される支持点が複数の領域であり、安定的なグリップが可能である。さらに、アプリケーター１２０の前方である塗布体１２１に隣接する部分とアプリケーター１２０の中心部または後方である柄１２２の側面で支持されて内容物を肌に滑らせる化粧方法を実行する場合、アプリケーター１２０が揺れないため、安定的な使用が可能である。
【００４２】
具体的に、アプリケーター１２０は塗布体１２１及び柄１２２を含んでもよい。ここで、塗布体１２１は内容物を肌に伝達することできる構成であり、ブラシからなることができる。また、柄１２２は一端に塗布体１２１が設けられ、塗布体１２１の反対方向に長さが延長された棒状からなってもよく、柄１２２の材質はプラスチック、合成樹脂、金属材などからなってもよいが、これに限定されない。但し、後述するように、カバー部１３０に磁性で連結される場合、一部に磁石１２２３が設けられるか、金属材質からなることができる。
【００４３】
なお、１つの柄１２２に複数の塗布体１２１が設けられてもよいが、例えば、一端に複数個の塗布体１２１が設けられてもよく、好ましくは柄１２２の両端に異なる形態の塗布体１２１が設けられて、１つのアプリケーター１２０を利用して複数のブラシを利用することができる効果を奏することができる。
【００４４】
また、アプリケーター１２０は化粧品容器１００と別途に保管する必要がなく、陥没部１１１の上方に保管され得るが、例えば、カバー部１３０上に保管されてもよく、カバー部１３０に固定されるために磁石１２２３が設けられてもよいことは上述した通りである。
【００４５】
さらに、アプリケーター１２０は化粧品容器１００の左右の長さより小さく形成されて、別の操作なしにアプリケーター１２０がカバー部１３０上に保管され得るが、これとは異なって、アプリケーター１２０の長さが化粧品容器１００の左右の長さと同一または長く形成されてもよい。
【００４６】
ここで、化粧品容器１００の左右の長さより長くアプリケーター１２０が形成される場合、アプリケーター１２０の保管のために、アプリケーター１２０は全体の長さが調整され得る。
【００４７】
例えば、図５を参照すると、柄１２２は、塗布体１２１が設けられる第１グリップ部材１２２１と、第１グリップ部材１２２１に結合または分離される第２グリップ部材１２２２と、を含んでもよく、第１グリップ部材１２２１の後方に着脱される第２グリップ部材１２２２によって長さが延長されることができ、保管時には、第２グリップ部材１２２２が第１グリップ部材１２２１から分離されてカバー部１３０上に前後に並んで一緒に保管され得る。
【００４８】
また、図面には示していないが、保管の際には、塗布体１２１が第２グリップ部材１２２２の内側に嵌め合いされて、アプリケーター１２０の全長を減らすとともに塗布体１２１を第２グリップ部材１２２２内に保管して塗布体１２１が損傷したり、塗布体１２１に付いた化粧品がカバー部１３０に付くことを防止することができる。
【００４９】
他の例として、図７を参照すると、柄１２２は他端が一端に近づいたり、離れるようにスライドされて長さが調整され得る。このとき、第２グリップ部材１２２２が第１グリップ部材１２２１の内側に入ったり、内側から外側に押されることで長さが調整され得る。また、図面には示していないが、第２グリップ部材１２２２にはストッパーが設けられて第１グリップ部材１２２１からスライドされる距離が制限されてもよい。
【００５０】
当該アプリケーター１２０はカバー部１３０に固定され得るが、例えば、アプリケーター１２０またはカバー部１３０の何れか１つには磁石１２２３（図５を参照、第１グリップ部材１２２１と第２グリップ部材１２２２の間に備えられてもよい）が設けられ、残りの１つには金属材質が備えられて、磁性によって連結され得る。
【００５１】
但し、図５を参照すると、磁石１２２３がアプリケーター１２０の側面に設けられることが示されているが、カバー部１３０に当接する面に磁石１２２３が設けられてもよく、その位置は限定されない。また、磁性による結合は、カバー部１３０の表面である装着面１３１で行われることができるが、これとは異なって、リブ１３５と類似するように装着面１３１から突出した形状からなることもできるなど、その変形例は様々である。さらに、磁石１２２３はサイズ対比で磁性の強いネオジムからなってもよいが、これに限定されないことは言うまでもない。
【００５２】
これとは異なり、アプリケーター１２０はカバー部１３０と構造的に連結されてもよく、これについては後述する。
【００５３】
一方、本実施例では、１つのカバー部１３０上に１つのアプリケーター１２０が用意されることが示されているが、カバー部１３０の空間は棒状のアプリケーター１２０に比べて広い面積を有することができ、即ち、アプリケーター１２０は柄１２２の幅が狭く形成されるため、カバー部１３０上に複数のアプリケーター１２０が収容されることもできる。このとき、複数のアプリケーター１２０は塗布体１２１の形態が互いに異なってもよい。
【００５４】
さらに、本実施例では、アプリケーター１２０がカバー部１３０の上部に用意されるものを説明したが、これとは異なり、カバー部１３０は単に陥没部１１１をカバーする構成であってもよく（カバー部が本体部または蓋部にヒンジ結合またはフィルム紙状からなって陥没部に載せられてもよい）、アプリケーター１２０は陥没部１１１と同じ層において前後方向に並んで用意されてもよく、例えば、カバー部１３０が蓋部１４０とヒンジ結合するとき、ヒンジの反対側である前方に設けられ、後方には陥没部１１１が位置し、前方にはアプリケーター１２０が配置された形態であってもよい。
【００５５】
また、アプリケーター１２０は陥没部１１１の下方に保管されてもよく、このとき、本体部１１０は上下一列にアプリケーター１２０が収容される空間と陥没部１１１が配置され得る。このとき、アプリケーター１２０は、陥没部１１１の下側に設けられる溝に保管される形態からなるか、スライド方式により挿入及び排出が可能な引き出しが設けられてもよいなど、様々な変形例が可能である。
【００５６】
カバー部１３０は陥没部１１１をカバーし、アプリケーター１２０が保管される。
【００５７】
本実施例のカバー部１３０及び陥没部１１１は、アプリケーター１２０の形状に対応するように左右の幅が長く、前後の幅が短い形状であってもよく、これは上述したように、棒状のアプリケーター１２０を保持することができるとともに、従来の化粧品容器とは差別化された形状により需要者の新しい形状の製品に対するニーズを満たすことができる。
【００５８】
また、カバー部１３０または蓋部１４０には反射面として鏡１３４が設けられ、化粧をする時、使用者が自分の姿を確認することができるが、好ましくはカバー部１３０の背面に設けられて、アプリケーター１２０とは別の空間に分離されて保管され得る。
【００５９】
これにより、内容物が付いたアプリケーター１２０が鏡１３４にぶつからないため、鏡１３４が化粧品により汚染されて反射機能が低下することを防止することができ、アプリケーター１２０をカバーする蓋部１４０の形状、特に内部面が鏡１３４の形状に応じて平面を成す必要がないため、蓋部１４０を自由に設計できる。また、本実施例の鏡１３４は平面図において左右の長さが前後の長さに比べて拡張されるため、鏡１３４が持つ視野が広くなり、化粧をするとき、使用者の顔面確認が容易であり得る。
【００６０】
さらに、カバー部１３０の上部にはアプリケーター１２０が保管され得るが、カバー部１３０の上面である装着面１３１にアプリケーター１２０が固定されるように拘束部材が設けられてもよい。
【００６１】
拘束部材は、棒状のアプリケーター１２０が化粧品容器１００内に保管されるとき、拘束されるようにして、携帯時にアプリケーター１２０がカバー部１３０または蓋部１４０内で揺れたりぶつかることを防止し、安全な保管ができるようにする。
【００６２】
当該拘束部材は、磁力でアプリケーター１２０を固定させるか、または構造によって拘束することができるが、例えば、拘束部材が上述したような磁石１２２３または金属ならなり、アプリケーター１２０が磁性で固定され得る。
【００６３】
これとは異なり、図２及び図３を参照すると、拘束部材はリブ１３５からなってもよく、リブ１３５がカバー部１３０の装着面１３１に設けられることができる。ここで、リブ１３５は柄１２２の幅に対応して端部が互いに離隔された形態で装着面１３１の上部に突出した形態であってもよく、リブ１３５はプラスチックなどの材質からなり、一定の弾性を有することができるため、アプリケーター１２０の挿入及び離脱が容易であり得る。当該リブ１３５は１対が互いに離隔された形状であるか、アプリケーター１２０に対応して内面が形成されて、例えば、上部が開口された半円状であり得る。
【００６４】
また、拘束部材は弾性紐（不図示）からなってもよく、弾性紐の両端が装着面１３１に固定され、弾性紐内にアプリケーター１２０が挿入されて拘束されてもよい。
【００６５】
一方、カバー部１３０はアプリケーター１２０の形状に対応して陥没した形状に形成され、カバー部１３０内にアプリケーター１２０が収容された状態で動きが制限されることもできる。このとき、カバー部１３０に保管されたアプリケーター１２０を容易に取り出せるように、柄１２２の両側領域には指が挿入できるように溝が形成され得るなど、アプリケーター１２０を保管／固定するための構造は様々な変形例を有することができる。
【００６６】
上記実施例では、アプリケーター１２０がカバー部１３０に固定されることを説明したが、これとは異なり、アプリケーター１２０が蓋部１４０に固定されることもでき、蓋部１４０にはカバー部１３０と同一／類似するように拘束部材である磁石／金属、リブ１３５及び／または弾性紐が設けられ、アプリケーター１２０が蓋部１４０に固定されることもできる。
【００６７】
さらに、カバー部１３０は上述したような装着面１３１だけでなく、上部突起１３３、下部突起１３２を含んでもよい。ここで、装着面１３１は、上述したように、アプリケーター１２０が装着され、平面であり得る。
【００６８】
また、下部突起１３２は陥没部１１１を密閉するために、装着面１３１の反対側から陥没部１１１の方向に延長され得るが、カバー部１３０が本体部１１０をカバーすると、下部突起１３２が陥没部１１１の上部面（図３を参照）または陥没部１１１の外側の縁面（図１を参照）に嵌め合わされるか、または図面には示していないが、カバー部１３０の内側面に当接するようになり、即ち、カバー部１３０の下側が本体部１１０に当接するようになって陥没部１１１の空間が密閉され得る。
【００６９】
上部突起１３３は装着面１３１の縁から上部に延長されるが、上部突起１３３に蓋部１４０が密着するように、上部突起１３３が装着面１３１から上部に延長された後、外側に曲げられた形態に形成され、カバー部１３０が蓋部１４０の内側に設けられた状態で蓋部１４０とカバー部１３０の間の空間が密閉され得る。
【００７０】
蓋部１４０は本体部１１０の上部をカバーすることができるが、カバー部１３０を一緒にカバーすることができる。
【００７１】
例えば、カバー部１３０の装着面１３１の縁（外側）である上部突起１３３の高さが装着面１３１上に配置されたアプリケーター１２０の高さより低く形成される場合、蓋部１４０は下端から上部に曲面状に形成されてドーム構造を成すことで、蓋部１４０の縁面がアプリケーター１２０をカバーする形態に形成され得る。このとき、カバー部１３０は本体部１１０と蓋部１４０の間に設けられた形態でありながらも外側に露出されないため、本体部１１０の上端と蓋部１４０の下端が互いに当接することができる。
【００７２】
これとは異なり、カバー部１３０の上部突起１３３がアプリケーター１２０の高さと同一または高く形成されることもできるが、このとき、蓋部１４０は平面状に形成されることもできるなど、その変形例は様々である。
【００７３】
当該蓋部１４０はカバー部１３０と同一／類似するように、一側がカバー部１３０にヒンジ結合されることができ、ヒンジを基準として回転してカバー部１３０の上部を開閉することができる。ここで、蓋部１４０の他側は本体部１１０と結合されるか、離隔され得るが、蓋部１４０の他側のカバー部１３０に対する結合及び離脱は、引っ掛け突起（符号不図示）と引っ掛け溝（符号不図示）のように互いにかみ合う構造からなってもよく、公知のメカニズムに代え、省略する。本体部１１０上に単に蓋部１４０が当接するように公知の他の実施例の結合方式が適用できることは言うまでもない。
【００７４】
このように、本実施例は揺れることなく安定的に化粧をすることができるアプリケーター１２０を化粧品とともに化粧品容器１００内に保管／使用することができるため、棒状のアプリケーター１２０を別途で保管／携帯しなければならない煩わしさがなく、アプリケーター１２０の紛失を防止することができる。
【００７５】
本発明は上記で説明した実施例に限定されず、上記実施例の組み合わせまたは上記実施例のうち少なくとも何れか１つと公知技術の組み合わせをさらに他の実施例として含むことができることは言うまでもない。
【００７６】
以上、本発明を具体的な実施例を通じて詳細に説明したが、これは本発明を具体的に説明するためのものであり、本発明はこれに限定されず、本発明の技術的思想内で当該分野の通常の知識を有する者によってその変形や改良が可能であることは明らかである。
【００７７】
本発明の単純な変形ないし変更は全て本発明の領域に属し、本発明の具体的な保護範囲は添付の特許請求の範囲により明確になるであろう。
【符号の説明】
【００７８】
１００  化粧品容器
１１０  本体部
１１１  陥没部
１２０  アプリケーター
１２１  塗布体
１２２  柄
１３０  カバー部
１３１  装着面
１３２  下部突起
１３３  上部突起
１３４  鏡
１３５  リブ
１４０  蓋部
【図１】
2020526315.tif 000003
【図２】
2020526315.tif 000004
【図３】
2020526315.tif 000005
【図４】
2020526315.tif 000006
【図５】
2020526315.tif 000007
【図６】
2020526315.tif 000008
【図７】
2020526315.tif 000009
【国際調査報告】
2020526315.tif 000010
2020526315.tif 000011
2020526315.tif 000012
2020526315.tif 000013